(57)【要約】【課題】メガホンの接口部と胴部及びホーン部を分割して伸縮自在とし、使用しないときは、収縮させることで全体を短尺化して嵩低くすることができ、持ち運びが省スペースで簡便になる伸縮メガホンを提供する。【解決手段】接口部２と胴部３及びホーン部４に分割してそれぞれを軸方向に伸縮可能となるよう順次嵌め合わせ、上記接口部２と胴部３及び胴部３とホーン部４の伸長方向の端部に、伸長状態で係合する抜け止め係止部５が設けてある。【選択図】図２
2005070302.tif 000002
【特許請求の範囲】
【請求項１】
接口部と胴部及びホーン部の組み合わせからなり、接口部と胴部及びホーン部はそれぞれ軸方向に伸縮可能となるよう順次嵌まり合う外径に設定され、上記接口部と胴部及び胴部とホーン部の伸長方向の端部に、伸長状態で係合する抜け止め係止部を設けた伸縮メガホン。
【発明の詳細な説明】
【技術分野】
【０００１】
この発明は、音声の拡声や殴打音を発生させる等のために用いる伸縮構造のメガホンに関する。
【背景技術】
【０００２】
例えば、野球等のスポーツの観戦において、チームや競技者を応援するときの声を拡声したり、殴打音を発生させるほか、手で振って目に付くようにするためにメガホンを使用している。
【０００３】
従来のスポーツ観戦用のメガホンは、合成樹脂を用い、細径の接口部から徐々に大径となる胴部及び胴部の先端側に位置するホーン部を一体成形した構造になっている。
【発明の開示】
【発明が解決しようとする課題】
【０００４】
上記のように、一体成形のメガホンは、全長が長くなって嵩張り、スポーツ観戦場所への往復時の持ち運びに不便であるという問題がある。
【０００５】
そこで、この発明の課題は、メガホンの接口部と胴部及びホーン部を分割すると共に、これらを伸縮自在となるよう組み合わせ、伸長させることにより従来と同様に使用することができ、使用しないときは、収縮させることで全体を短尺化して嵩低くすることができ、持ち運びが省スペースで簡便になる伸縮メガホンを提供することにある。
【課題を解決するための手段】
【０００６】
上記のような課題を解決するため、この発明は、接口部と胴部及びホーン部の組み合わせからなり、接口部と胴部及びホーン部はそれぞれ軸方向に伸縮可能となるよう順次嵌まり合う外径に設定され、上記接口部と胴部及び胴部とホーン部の伸長方向の端部に、伸長状態で係合する抜け止め係止部を設けた構成を採用したものである。
【０００７】
上記接口部と胴部及びホーン部は、ポリプロピレン等の合成樹脂を用いて別個に成形され、接口部は、後端に接口側開口を有する内部中空の偏平円筒状で先端側に先端が少し大径のテーパとなる円筒部を設けて形成され、胴部は、上記円筒部に外嵌する円筒状の第１の胴部と、この第１の胴部に外嵌する円筒状の第２の胴部とからなり、また、ホーン部は、第２の胴部に外嵌する円筒部の先端面にホーン側開口が設けられた構造になっている。
【０００８】
上記接口部の円筒部の先端と第１の胴部の後端、第１の胴部の先端と第２の胴部の後端、第２の胴部の先端とホーン部の円筒部の後端とに、それぞれ対となる抜け止め係止部が設けられ、上記接口部と第１の胴部、第２の胴部及びホーン部を引き延ばすことにより、メガホンは使用可能な状態になる。
【０００９】
上記したそれぞれの抜け止め係止部は、内側に位置する部材の先端部に外側後方へ屈曲するよう設けた屈曲片と、外側に位置する部材の後端部に内側前方へ屈曲するよう設けた屈曲片の組み合わせによって形成され、引き延ばし時に両屈曲片が楔状に嵌まり合うことにより、引き延ばし状態を保持するようになっている。
【００１０】
また、収縮時は、ホーン部の内部に第１の胴部と第２の胴部及び接口部の円筒部が収まり、接口部がホーン部から突出するように、それぞれの長さが設定されている。
【発明の効果】
【００１１】
以上のように、この発明によると、接口部と胴部及びホーン部の組み合わせからなり、これらをそれぞれ軸方向に伸縮可能となるよう順次嵌まり合う外径に設定し、上記接口部と胴部及び胴部とホーン部の伸長状態を抜け止め係止部で保持するようにしたので、伸長させることにより従来と同様のメガホンとして使用することができ、使用しないときは、収縮させることで全体が短尺化して嵩低くなり、省スペース化によってバッグ等に収納して持ち運ぶことができるので、携帯に便利である。
【発明を実施するための最良の形態】
【００１２】
以下、この発明の実施の形態を図示例と共に説明する。
【００１３】
図示のように、伸縮メガホン１は、接口部２と胴部３及びホーン部４の組み合わせからなり、これら接口部２と胴部３及びホーン部４は、ポリプロピレン等の合成樹脂を用いて別個に成形され、上記接口部２と胴部３及びホーン部４はそれぞれ軸方向に伸縮可能となるよう順次嵌まり合う直径と厚みに設定され、上記接口部２と胴部３及び胴部３とホーン部４の伸長方向の端部に、それぞれ伸長状態で係合する抜け止め係止部５が設けられている。
【００１４】
上記接口部２は、後端に接口側開口６を有する内部中空の偏平円筒状で先端側に先端が少し大径のテーパとなる円筒部７を設けて形成され、胴部３は、先端が少し大径のテーパとなり、上記円筒部７に外嵌する円筒状の第１の胴部３ａと、この第１の胴部３ａに外嵌する円筒状の第２の胴部３ｂとからなり、また、ホーン部４は、第２の胴部３ｂに外嵌する円筒部８の先端面にホーン側開口９が設けられ、これにより、伸縮メガホン１全体がテレスコープのような構造になっている。
【００１５】
上記接口部２の円筒部７の先端と第１の胴部３ａの後端、第１の胴部３ａの先端と第２の胴部３ｂの後端、第２の胴部３ｂの先端とホーン部４の円筒部８の後端とに、それぞれ対となる抜け止め係止部５が設けられ、それぞれの抜け止め係止部５は、図５（Ｃ）のように、内側に位置する部材の先端部に外側後方へ屈曲するよう設けた屈曲片５ａと、外側に位置する部材の後端部に内側前方へ屈曲するよう設けた屈曲片５ｂの組み合わせによって形成され、引き延ばし時に両屈曲片５ａと５ｂが楔状に嵌まり合うことにより、引き延ばし状態を弾力的に保持するようになっている。
【００１６】
また、図３のように、収縮時は、ホーン部４の内部に第１の胴部３ａと第２の胴部３ｂ及び接口部２の円筒部が収まり、接口部２がホーン部４から突出するように、それぞれの長さが設定されている。なお、伸縮メガホン１の色彩や模様は自由に設定することができる。
【００１７】
図示の場合、金型での成形性を容易にするため、図５（Ｂ）のように、接口部２とその円筒部７は別体に成形され、接口部２の先端に設けた小径段部２ａと円筒部７の後端に設けた大径段部７ａを嵌め合わせ、この嵌め合わせ面の一方に設けた係止突条１０と同他方に設けた凹溝１１を弾力的に係合させることにより、接口部２と円筒部７を結合し、また、図５（Ａ）のように、ホーン部４は、ホーン側開口９を設けた先端壁１２と円筒部８に分割成形され、先端壁１２の後端に設けた小径段部１２ａと円筒部８の先端に設けた大径段部８ａを嵌め合わせ、この嵌め合わせ面の一方に設けた係止突条１０と同他方に設けた凹溝１１を弾力的に係合させることにより、先端壁１２と円筒部８を結合するようにしている。
【００１８】
上記接口部２と第１及び第２の胴部３ａ、３ｂ及びホーン部４は、嵌まり合う相手に対して軸方向の移動が自由で周方向に対して回転が生じないように、接口部２と第１及び第２の胴部３ａ、３ｂ及びホーン部４の内面には、それぞれ軸方向のリブ１３が設けられ、内側に位置する部材の先端部に設けた屈曲片５ａには、対応するリブ１３に嵌まり合う切り欠き１４が設けられている。
【００１９】
この発明の伸縮メガホン１は、上記のような構成であり、使用しない時は、図３のように、ホーン部４に向けて第１の胴部３ａと第２の胴部３ｂ及び接口部２を軸方向に押し込めばよく、ホーン部４の内部に第１の胴部３ａと第２の胴部３ｂ及び接口部２が収まり、全長が略４分の１程度に短尺化して嵩低くなり、バッグ等に収納して持ち運ぶことができるので、携帯に便利である。
【００２０】
また、伸縮メガホン１を使用する時は、ホーン部４と接口部２を軸方向に引っ張って引き延ばせばよく、接口部２と第１及び第２の胴部３ａ、３ｂ及びホーン部４は、引き延ばし時にそれぞれの屈曲片５ａと５ｂが楔状に嵌まり合うことにより、所定長さの引き延ばし状態を弾力的に保持し、図１と図２のように、伸縮メガホン１の使用可能な状態になり、引き延ばし状態が弾力的に保持されているので、音声の拡声や殴打音の発生が支障なく行えることになる。
【図面の簡単な説明】
【００２１】
【図１】この発明に係る伸縮メガホンの伸長状態を示す斜視図
【図２】この発明に係る伸縮メガホンの伸長状態を示す縦断正面図
【図３】この発明に係る伸縮メガホンの収縮状態を示す縦断正面図
【図４】図２の矢印ａ−ａに沿う拡大縦断側面図
【図５】（Ａ）はホーン部の先端壁と円筒部の結合構造を示す拡大縦断側面図、（Ｂ）は接口部と円筒部の結合構造を示す拡大縦断側面図、（Ｃ）は抜け止め係止部の構造を示す拡大縦断側面図
【符号の説明】
【００２２】
１    伸縮メガホン
２    接口部
３    胴部
４    ホーン部
５    抜け止め係止部
６    接口側開口
７    円筒部
８    円筒部
９    ホーン側開口
１０  係止突条
１１  凹溝
１２  先端壁
１３  リブ
１４  切り欠き
【図１】
2005070302.tif 000003
【図２】
2005070302.tif 000004
【図３】
2005070302.tif 000005
【図４】
2005070302.tif 000006
【図５】
2005070302.tif 000007